【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
タッチ面に対するポインタを検出する装置であって、
前記タッチ面を包含して重なり合う視界を有する少なくとも２つの間隔を置いて配置された撮像デバイスであって、前記各撮像デバイスは、前記撮像デバイスが前記タッチ面を３次元で、前記タッチ面の境界を含む斜視図として見るように、前記タッチ面に向けられた視界を有し、前記撮像デバイスは異なる視点からの重なり合う画像を取得し、画像データを生成するために前記各撮像デバイスが各取得した画像内の、前記撮像デバイスの前記斜視図内の前記タッチ面の前記境界を包含するピクセルのサブセットを処理する、前記タッチ面を包含して重なり合う視界を有する少なくとも２つの間隔を置いて配置された撮像デバイスと、
前記ポインタの位置を決定するために、少なくとも１つの前記撮像デバイスにより生成された画像データを受信し処理する処理構成と、を有するタッチ面に対するポインタを検出する装置。
【請求項２】
前記斜視図内の点（Ｘ、Ｙ、Ｚ）と取得した画像内の点（ｘ、ｙ）の間の関係を確立するために各撮像デバイスは較正され、取得した画像内にポインタが存在するときに各撮像デバイスはポインタ座標データを生成する請求項１記載の装置。
【請求項３】
前記タッチ面に対する前記ポインタの前記位置を決定するために、前記処理構成は前記画像データを三角測量する請求項２記載の装置。
【請求項４】
各撮像デバイスは、前記タッチ面の異なるコーナーに隣接して配置される請求項１記載の装置。
【請求項５】
各撮像デバイスは、前記タッチ面から間隔を置いて横方向に配置され、前記タッチ面の前方に配置される請求項４記載の装置。
【請求項６】
前記タッチ面は、ベゼルによって境界を接せられる請求項１記載の装置。
【請求項７】
各撮像デバイスの外部オリエンテーション・パラメタ（Ｘ0、Ｙ0、Ｚ0）及び（ω、φ、κ）が、較正の間に決定される請求項３記載の装置であって、
（Ｘ0、Ｙ0、Ｚ0）は、前記撮像デバイスの前記光学的中心の前記空間的位置であり、
（ω、φ、κ）は、前記タッチ面の前記３次元の座標系に対する前記撮像デバイスの前記光軸の前記方位角である請求項３記載の装置。
【請求項８】
各撮像デバイスの内部オリエンテーション・パラメタｆ、ｘ0、ｙ0及びΔx、Δyが、較正の間に決定される請求項７記載の装置であって、
（Δx、Δy）は、前記撮像デバイスのレンズの不完全な性質のために導入される歪曲項を表し、
ｆは、前記撮像デバイスの前記焦点距離であり、
（ｘ0、ｙ0）は、前記撮像デバイスの前記主点の前記座標である、装置。
【請求項９】
前記関係は、共線性方程式を使用して次式のように表現される請求項８記載の装置であって、
【数１】
2007536652.tif 000001
【数２】
2007536652.tif 000002
ここで、
（ｘ、ｙ）は、前記３次元斜視図内の点（Ｘ、Ｙ、Ｚ）に対応する取得した画像内の点の前記座標であり、
（Ｒ1、Ｒ2、Ｒ3）は、点（Ｘ、Ｙ、Ｚ）と、前記空間的位置（Ｘ0、Ｙ0、Ｚ0）と、前記方位角（ω、φ、κ）に依存する項である装置。
【請求項１０】
較正の間に、前記タッチ面上の較正点（Ｘ、Ｙ、Ｚ）と前記較正点に対応する像点（ｘ、ｙ）が測定され、前記共線性方程式は前記測定した較正点と像点を使用して解かれ、その結果により前記外部及び内部オリエンテーション・パラメタを決定する請求項９記載の装置。
【請求項１１】
各撮像デバイスは、前記取得した画像内の前記ポインタを前記撮像デバイスが確かに識別した確実度を表す確実度値も生成する請求項２記載の装置。
【請求項１２】
前記確実度値は、前記ポインタの前記位置を決定するために使用されるポインタ座標データを決定するために、前記処理構成により使用される請求項１１記載の装置。
【請求項１３】
前記撮像デバイスに関連する前記確実度値がスレッショルド・レベル以下である場合に、前記処理構成は前記撮像デバイスにより生成されたポインタ座標データを無視する請求項１２記載の装置。
【請求項１４】
前記撮像デバイスは、取得した画像内のポインタの決定を支援するために交信する請求項２記載の装置。
【請求項１５】
前記撮像デバイスの取得した画像内のポインタを検出する前記撮像デバイスは、他の撮像デバイスとデータを最初に交信し、前記撮像デバイスの取得した画像内のポインタを検出して前記他の撮像デバイスを支援する請求項１４記載の装置。
【請求項１６】
ポインタを使用してコンタクトが行われる全体として長方形の受動タッチ面と、
前記タッチ面の少なくとも２つのコーナーに隣接して取り外し可能に搭載されたカメラ・デバイスであって、前記カメラ・デバイスのそれぞれは、前記タッチ面の前記平面の前方に配置され、前記タッチ面に向かって全体を見渡せるような視界を有し、前記カメラ・デバイスの前記視界は、前記カメラ・デバイスが前記タッチ面とその境界を斜視図に見るように、前記タッチ面の上に重なり合っており、前記カメラ・デバイスは、異なる視点から前記タッチ面の画像を取得し、画像データを生成するために前記各カメラ・デバイスが各取得した画像内の、前記撮像デバイスの前記斜視図内の前記タッチ面の前記境界を包含するピクセルのサブセットを処理する、前記タッチ面の少なくとも２つのコーナーに隣接して取り外し可能に搭載されたカメラ・デバイスと、
三角測量によって前記タッチ面に対する前記ポインタの前記位置を決定するために、前記画像データを受信し処理するプロセッサと、を有するカメラ・ベースのタッチ・システム。
【請求項１７】
全体として長方形のタッチ面に対するポインタを検出する装置であって、
前記タッチ面を包含して重なり合う視界を有する少なくとも２つの間隔を置いて配置された撮像デバイスであって、前記撮像デバイスは、前記タッチ面の前方に間隔を置いて配置され、前記タッチ面を３次元で斜視図として見るように向いており、前記斜視図は前記タッチ面の少なくとも前記４つのコーナーと側部を含み、前記撮像デバイスは異なる視点からの重なり合う画像を取得し、画像データを生成するために前記各撮像デバイスが各取得した画像内の、前記カメラ・デバイスの前記斜視図内の前記タッチ面の前記境界を包含するピクセルのサブセットを処理する、前記タッチ面を包含して重なり合う視界を有する少なくとも２つの間隔を置いて配置された撮像デバイスと、
三角測量を使用して前記タッチ面に対する前記ポインタの位置を決定するために、少なくとも１つの前記撮像デバイスにより生成された画像データを受信し処理するプロセッサと、を有する全体として長方形のタッチ面に対するポインタを検出する装置。
【請求項１８】
タッチ面に対するポインタを検出する装置であって、
前記タッチ面を包含して重なり合う視界を有する少なくとも２つの間隔を置いて配置された撮像デバイスであって、前記各撮像デバイスは、前記タッチ面の前方にあり、前記撮像デバイスが前記タッチ面を３次元で、前記タッチ面の境界を含む斜視図として見るように、前記タッチ面に向けられており、前記撮像デバイスは異なる視点からの重なり合う画像を取得する、前記タッチ面を包含して重なり合う視界を有する少なくとも２つの間隔を置いて配置された撮像デバイスと、
前記ポインタの位置を決定するために、少なくとも１つの前記撮像デバイスにより生成された画像データを受信し処理する処理構成であって、前記斜視図内の点（Ｘ、Ｙ、Ｚ）と取得した画像内の点（ｘ、ｙ）の間の関係を確立するために各撮像デバイスは較正され、取得した画像内にポインタが存在するときに各撮像デバイスはポインタ座標データを生成し、各撮像デバイスの外部オリエンテーション・パラメタ（Ｘ0、Ｙ0、Ｚ0）及び（ω、φ、κ）が、較正の間に決定され、
（Ｘ0、Ｙ0、Ｚ0）は、前記撮像デバイスの前記光学的中心の前記空間的位置であり、
（ω、φ、κ）は、前記タッチ面の前記３次元の座標系に対する前記撮像デバイスの前記光軸の前記方位角である、前記ポインタの位置を決定するために、少なくとも１つの前記撮像デバイスにより生成された画像データを受信し処理する処理構成と、
を有するタッチ面に対するポインタを検出する装置。